(57)【要約】【課題】  サインポストとポールとを容易かつ強固に結合することができ、部品点数が少なく、組み立て施工が容易な、サインポスト装置を提供する。【解決手段】  ポール（４）の上端の金属製の先細りネジ部（５）を、台座（２）の樹脂製のネジ穴（３）に緊締し、台座（２）にポスト本体（１）を固定して、サインポスト装置を構成する。【選択図】図１
2005334287.tif 000002
【特許請求の範囲】
【請求項１】
立設されたポール上端部に台座を介してポスト本体が固定されているサインポスト装置であって、ポール上端には金属製の先細りネジ部が設けられているとともに、ポスト本体をポール上端部に固定する台座には、樹脂製のネジ穴が設けられており、この台座の樹脂製ネジ穴にポールの金属製先細りネジ部が挿入緊締されていることを特徴とするサインポスト装置。
【請求項２】
ポールの金属製先細りネジ部には、台座の樹脂製ネジ穴の緊締深さ位置を規制する固定ナットが装着されていることを特徴とする請求項１のサインポスト装置。
【発明の詳細な説明】
【技術分野】
【０００１】
この出願の発明は、スタンド式のサインポスト装置に関するものであり、さらに詳しくは、ぐらつきやがたつきが抑えられ、施工性も良好な改善された新しいスタンド式のサインポスト装置に関するものである。
【背景技術】
【０００２】
従来、住宅等における郵便や新聞受けとして、たとえば図７に示したようなスタンド式のサインポスト装置が知られている。このスタンド式のサインポスト装置は、一般的には、ステンレス製等のサインポスト本体（ア）を地面等に立設されたポール（イ）によって支持固定したものであり、設置場所を自由に選択することができ、組み立て式であるため輸送・運搬における取り扱いの利便性が高いという特徴を有している。このような組み立て式のサインポストの設置に際しては、たとえば図８ａに示したように、通常は、サインポスト本体（ア）を、地面等に立設したポール（イ）に台座（ウ）を介して固定している。台座（ウ）にはボルト穴（エ）が設けられており、サインポスト本体（ア）へのボルト締めを可能としている（特許文献１−３）。
【０００３】
そして、ポール（イ）と台座（ウ）の連結にはビスや緊締金具による固定が行われている。たとえば、図８ｂの分解斜視図に示したように、台座（ウ）には、その底面に、ポール（イ）の内径と略同一の外径を有する円形帯状突起（カ）が配設され、この円形帯状突起（カ）には、固定用のビス穴（オ）が設けられている。この構造では、円形帯状突起（カ）をポール（イ）にその上端より挿入した後に、ビス穴（オ）をポール（イ）の上端部に形成されたビス穴（キ）と一致させ、ビス（ク）で接合することにより、ポール（イ）をサインポスト本体（ア）に連結固定するようにしている。
【特許文献１】実用新案登録公報第２５２７４０９号
【特許文献２】実用新案登録公報第２５６１１５４号
【特許文献３】公開実用新案公報昭５４−１００７９６号
【発明の開示】
【発明が解決しようとする課題】
【０００４】
しかしながら、従来のサインポスト装置の場合には、組み立て部品点数が多く、組み立て作業が煩雑であった。たとえば、図８ｂの構造においては、円形帯状突起（カ）の配設やビス（７）等の部品、部材が必要とされ、また、円形帯状突起（カ）とポール（イ）にそれぞれ設けられたビス穴（オ）（キ）を正確に一致させないと、ビス（ク）による接合が難しくなる。このため、取付け作業には高い精度が要求されており、簡便ではなかった。さらに、ポール（イ）の上端部と台座（ウ）との間には、隙間が形成されやすく、取付け後のサインポスト本体のぐらつきやがたつきが発生しやすいという問題もあった。
【０００５】
そこで、この出願の発明は、以上のとおりの背景から、従来のスタンド式のサインポスト装置の取付け構造や組み立て施工上の問題点を解消し、サインポスト本体とポールとを容易、かつ強固に連結固定し、ぐらつきやがたつきの発生を抑えることができ、かつ施工性にも優れた新しいサインポスト装置を提供することを課題としている。
【課題を解決するための手段】
【０００６】
この出願の発明は、上記の課題を解決する手段として、第１には、立設されたポール上端部に台座を介してポスト本体が固定されているサインポスト装置であって、ポール上端には金属製の先細りネジ部が設けられているとともに、ポスト本体をポール上端部に固定する台座には、樹脂製のネジ穴が設けられており、この台座の樹脂製ネジ穴にポールの金属製先細りネジ部が挿入緊締されていることを特徴とするサインポスト装置を提供する。
【０００７】
また、この出願の発明は、第２には、ポールの金属製先細りネジ部には、台座の樹脂製ネジ穴の緊締深さ位置を規制する固定ナットが装着されていることを特徴とする上記のサインポスト装置を提供する。
【発明の効果】
【０００８】
上記のとおりのこの出願の第１の発明によれば、サインポスト台座のネジ穴がポールのネジ部に緊締されるため、ビス接合方式のような従来の構造よりも組み立て作業が容易となり、さらには、ビスのような細かい部品、あるいは正確な位置合わせを要するような部品を使用せずに、部品点数も少なく、施工性が良好となる。また、ポールのネジ部を金属製、かつ、先細り形状とし、サインポスト台座のネジ穴を樹脂製としているため、金属製の先細りネジ部の挿入により台座の樹脂製のネジ穴が強制的に拡張されながら緊締されることになり、より強固な取付けが可能であり、サインポスト本体とポールとの間にはぐらつきやがたつきが生じにくくなる。
【０００９】
また、第２の発明によれば、上記の効果に加えて、台座の樹脂製ネジ穴の緊締深さ位置が固定ナットで規定されるため、位置決めが容易になり、しかも樹脂製ネジ穴におけるネジ山の損傷を抑えることも可能になる。このため、しっかりしたネジ山での緊締によって、サインポスト装置の剛性、強度の耐久性がより優れたものとなる。
【発明を実施するための最良の形態】
【００１０】
この出願の発明は上記のとおりの特徴を有するものであるが、以下、図面に沿ってこの出願の発明の実施の形態についてさらに詳しく説明する。もちろん以下の具体的説明にこの出願の発明が限定されることはない。
【００１１】
図１は、この出願の発明のサインポスト装置の基本的な構成を例示した分解斜視図である。たとえばこの図１に例示したように、この出願の発明のサインポスト装置では、たとえば、ステンレス等の金属製のポスト本体（１）が台座（２）を介して、地面等に立設された鋼管等の金属製ポール（４）の上端部に固定される構造を有している。そして、この構造を実現するために、金属製のポール（４）の上端には、先細りネジ部（５）が設けられており、台座（２）をたとえば樹脂製として、その一部にネジ穴（３）が設けられているものとし、台座（２）の樹脂製のネジ穴（３）に、金属製の先細りネジ部（５）が挿入されてネジ結合により緊締されるようにしている。樹脂製のネジ穴（３）は、金属製の先細りネジ部（５）の挿入にともなって強制的に内径が拡張されて緊締されることになる。これによって、強固な結合で、台座（２）へのポール（４）の取付けが可能とされる。
【００１２】
このようなサインポスト装置の取立て施工は、たとえば次のような手順によって行われる。
〔手順１〕ポール（４）の金属製先細りネジ部（５）をサインポスト台座（２）の樹脂製ネジ穴（３）に挿入して緊締固定する。
〔手順２〕ポール（４）の下端を地面に埋設する等によりこれを立設する。
〔手順３〕ポスト本体（１）を台座（２）に取付け固定する。
【００１３】
手順１では、上記のように、金属製先細りネジ部（５）の挿入緊締により台座（２）とポール（４）が一体化され剛体となる。ポール（４）の金属製先細りネジ部（５）が金属製で先細り形状であり、台座（２）のネジ穴（３）が樹脂製であるため、金属と樹脂との無理締めにより非常に強固な固定が可能とされる。これによってサインポスト本体（１）のぐらつきやがたつきが生じにくくなる。なお、手順１と２を入れ換えて行うことも可能である。
【００１４】
図２は、台座（２）とポール（４）との取付け状態を例示した断面図である。台座（２）のネジ穴（３）にポール（４）の先細りネジ部（５）が緊締されて、ポール（４）に台座（３）が固定されている。
【００１５】
ポール（４）はサインポスト装置をスタンド式に立設するために十分な剛性を備えたものであればよく、たとえば好適には、ステンレス鋼管などの金属製である。このポール（４）は、その下端が地面等に埋設あるいは固定される。ポール（４）上端の金属製の先細りネジ部（５）以外のポール部分は、先細りネジ部とは異なる素材や形状、構造からなるものとしてもよい。
【００１６】
特に、組み立て後に露出するポール（４）の中央部分は、サインポストの意匠性を決定する重要な要素であることから、必ずしも円柱あるいは円筒である必要はなく、適切な剛性を保持していれば適宜なデザインを採用してもよく、凹凸のある立体成形や彫刻、塗装などを組み合わせてもよい。
【００１７】
サインポスト装置の郵便箱としての機能は、ポスト本体（１）、およびポスト本体（１）を支持固定する台座（２）とによって実現されるが、ポスト本体（１）と台座（２）との結合固定については、各種の手段が採用されてよい。たとえば従来と同様のボルトを用いての接合固定や、接着、嵌合等の固定構造であってもよい。
【００１８】
そして、台座（２）に設けた樹脂製のネジ穴（３）は、台座（２）そのものを上記のように樹脂製とすることで形成してもよいし、ネジ穴（３）周囲を部分樹脂製としてもよい。このネジ穴（３）はテーパー形状をつけてないものであってもよく、あるいは先細り形状を有するポールのネジ山に対応して、若干のテーパー形状をつけていてもよい。樹脂としては、ＡＳＡ（アクリロニトリルスチレンアクリルゴム）等の各種であってよい。台座（２）のネジ穴（３）は、台座（２）を貫通するネジ穴であってもよいし、貫通せずに窪んだネジ穴であってもよい。前者の場合には、組み立て時にポールがネジ穴から突出してポスト本体の取付けに支障をきたさないようにする。
【００１９】
この出願の発明のサインポスト装置には必要に応じて台座ナットや固定ナット等を組み合わせて使用してもよい。
【００２０】
図３および図４は固定ナット（６）を用いた例を示したものである。図３の例では、台座（２）のネジ穴（３）は貫通穴であるが、図４の場合には貫通していない。このいずれの場合でも、固定ナット（６）の使用によれば、台座（２）のポール（４）への緊締時の位置決めが容易となり、ネジ山の損傷を抑えることも容易となる。すなわち、固定ナット（６）があらかじめポール（１）に固定され、その後台座（２）が緊締されることになるが、台座（２）は、固定ナット（６）により所定位置で緊締が制限されるため、組み立て時の締めすぎによる樹脂製ネジ穴（３）のネジ山の損傷を防止することができる。
【００２１】
上記のような固定ナット（６）とともに、あるいはこれとは別途に、たとえば図５に例示したように台座ナット（７）を用いてもよい。この台座ナット（７）については、開口したネジ穴（３）の存在により郵便物等を破損したり、手指を傷つけたりするのを防止するために、たとえば、台座ナット（７）に図６ａのようにキャップ（７１）を嵌めるか、図６ｂのように、キャップ形台座ナット（８）を用いることもできる。
【００２２】
固定ナットと台座ナットは、台座を挟持してさらに強固に固定する機能も有してもいる。
【図面の簡単な説明】
【００２３】
【図１】この出願の発明のサインポスト装置の基本的な構造を例示した分解斜視図である。。
【図２】台座とポールとの固定状態を例示した断面図である。
【図３】固定ナットを用いた例を示した断面図と斜視図である。
【図４】固定ナットを用いた別の例を示した断面図である。
【図５】固定ナットと台座ナットとを用いた例を示した断面図である。
【図６】台座ナットを例示した斜視図である。
【図７】スタンド式サインポストの斜視図である。
【図８】従来のスタンド式サインポストの取付け構造を示した分解斜視図である。
【符号の説明】
【００２４】
１    ポスト本体
２    台座
３    ネジ穴
４    ポール
５    先細りネジ部
６    固定ナット
７    台座ナット
７１  キャップ
８    キャップ形台座ナット
【図１】
2005334287.tif 000003
【図２】
2005334287.tif 000004
【図３】
2005334287.tif 000005
【図４】
2005334287.tif 000006
【図５】
2005334287.tif 000007
【図６】
2005334287.tif 000008
【図７】
2005334287.tif 000009
【図８】
2005334287.tif 000010